(57)【要約】      （修正有）【課題】水圧で凹んだり破損することがなく、トルネード水流を起こすことができる浄水器用フィルターの芯材を提供する。【解決手段】浄水器用フィルターの芯材１００は、内周面に縦リブ７と横リブが設けられ、内周面と外周面を貫通するように複数の貫通孔１１が設けられ、結合面に係合突起と係合孔を備えた半円筒状の外側芯材８の２つを結合させて形成した円筒状の外側芯材８と、内周面に横リブが設けられ、内周面と外周面を貫通するように複数の貫通孔１１が設けられ、結合面に係合突起と係合孔を備えた半円筒状の内側芯材２つを結合させて形成した円筒状の内側芯材１８と、から構成され、円筒状の外側芯材８の中に円筒状の内側芯材１８が挿入される。【選択図】図１３
0003192832.tif 000002
【実用新案登録請求の範囲】
【請求項１】
内周面に縦リブと横リブが設けられ、内周面と外周面を貫通するように複数の貫通孔が設けられ、結合面に係合突起と係合孔を備えた半円筒状の外側芯材２つを結合させて形成した円筒状の外側芯材と、
内周面に横リブが設けられ、内周面と外周面を貫通するように複数の貫通孔が設けられ、結合面に係合突起と係合孔を備えた半円筒状の内側芯材２つを結合させて形成した円筒状の内側芯材と、から構成され、
前記円筒状の外側芯材の中に前記円筒状の内側芯材が挿入されることを特徴とする浄水器用フィルターの芯材。
【請求項２】
前記円筒状の内側芯材は、前記貫通孔が長手方向の対極する位置に一列に設けられ、前記貫通孔は、側面視で、前記貫通孔の中心線が前記円筒状の内側芯材の中心軸を通らず、上下方向と平行に設けられることを特徴とする請求項１に記載の浄水器用フィルターの芯材。
【請求項３】
前記円筒状の外側芯材は、前記貫通孔が長手方向に複数列設けられ、前記貫通孔は、側面視で、上下方向と平行に設けられることを特徴とする請求項１に記載の浄水器用フィルターの芯材。
【考案の詳細な説明】
【技術分野】
【０００１】
本考案は、浄水器用フィルターの芯材に係り、より詳しくは、水圧で凹んだり破損することがなく、トルネード水流を起こすことができる浄水器用フィルターの芯材に関する。
【背景技術】
【０００２】
特許文献１は、本出願人が提案した浄水整水装置である。この浄水整水装置は、内部に円筒形のフィルターが装着され、フィルターの中心には、複数の孔が穿設された芯材が設けられる。芯材の周囲には、不織布や活性炭の層が設けられる。芯材は、ポリプロピレン製で、多数の孔があいていて厚さがないこともあって、水道管の圧力が高くても凹むことや破損することがない構造が求められている。また、芯材の内部の水は、内周面の多数の孔から湧き出て互いにぶつかり合うが、流速を落さない構造が求められている。
【先行技術文献】
【特許文献】
【０００３】
【特許文献１】特開２００９−４５５３１号公報
【考案の概要】
【考案が解決しようとする課題】
【０００４】
本考案の目的は、水圧で凹んだり破損することがなく、トルネード水流を起こすことができる浄水器用フィルターの芯材を提供することにある。
【課題を解決するための手段】
【０００５】
本考案による浄水器用フィルターの芯材は、内周面に縦リブと横リブが設けられ、内周面と外周面を貫通するように複数の貫通孔が設けられ、結合面に係合突起と係合孔を備えた半円筒状の外側芯材２つを結合させて形成した円筒状の外側芯材と、内周面に横リブが設けられ、内周面と外周面を貫通するように複数の貫通孔が設けられ、結合面に係合突起と係合孔を備えた半円筒状の内側芯材２つを結合させて形成した円筒状の内側芯材と、から構成され、前記円筒状の外側芯材の中に前記円筒状の内側芯材が挿入されていることを特徴とする。
【０００６】
前記円筒状の内側芯材は、前記貫通孔が長手方向の対極する位置に一列に設けられ、前記貫通孔は、側面視で、前記貫通孔の中心線が前記円筒状の内側芯材の中心軸を通らず、上下方向と平行に設けられることを特徴とする。
【０００７】
前記円筒状の外側芯材は、前記貫通孔が長手方向に複数列設けられ、前記貫通孔は、側面視で、上下方向と平行に設けられることを特徴とする。
【考案の効果】
【０００８】
本考案の浄水器用フィルターの芯材によれば、（１）半円筒状の外側芯材の内周面に縦リブと横リブを設けたので、従来のリブがない構造に比べ強度をより高くできる。（２）円筒状の外側芯材の中に、内周面に横リブが設けられた円筒状の内側芯材を挿入したので、円筒状の外側芯材を支えることができ、さらに強度を高くできる。（３）円筒形の構造で、横リブを設けると、長手方向と直交する方向に横リブが張り出すので、内筒と外筒からなる金型で筒状に形成することが難しくなる。そこで、外側芯材と内側芯材を共に半円筒状とした。（４）半円筒状の外側芯材（又は内側芯材）の結合面には、係合突起と係合孔を設けたので、同じ半円筒状の外側芯材（又は内側芯材）２つを向かい合わせに結合して、円筒形にできる。
【０００９】
円筒状の内側芯材は、貫通孔が長手方向の対極する位置に一列に設けられ、側面視で、貫通孔の中心線が内側芯材の中心軸を通らず上下方向と平行になるよう貫通孔を設けたので、円筒状の内側芯材の内部で、トルネード水流を起こすことができる。すなわち流速を落さないようにできる。
【００１０】
半円筒状の外側芯材は、貫通孔が、側面視で上下方向と平行に設けられるので、金型で貫通孔を形成する際、金型を一方向に抜き去ることができる。
【図面の簡単な説明】
【００１１】
【図１】本考案による浄水器用フィルターの芯材を構成する半円筒状の外側芯材の正面図である。
【図２】図１に示す半円筒状の外側芯材の平面図である。
【図３】図１に示す半円筒状の外側芯材の底面図である。
【図４】図１のＡ−Ａ断面図である。
【図５】図１の半円筒状の外側芯材２つを結合して構成した円筒状の外側芯材の正面図である。
【図６】図５のＡ’−Ａ’断面図である。
【図７】本考案による浄水器用フィルターの芯材を構成する半円筒状の内側芯材の正面図である。
【図８】図７に示す半円筒状の内側芯材の平面図である。
【図９】図７に示す半円筒状の内側芯材の底面図である。
【図１０】図７のＢ−Ｂ断面図である。
【図１１】図７の半円筒状の内側芯材２つを結合して構成した円筒状の内側芯材の正面図である。
【図１２】図１１のＢ’−Ｂ’断面図である。
【図１３】図５の円筒状の外側芯材に図１１の円筒状の内側芯材を挿入して浄水器用フィルターの芯材を構成した場合のＡ’−Ａ’断面図である。
【図１４】本考案による浄水器用フィルターの芯材を適用した浄水器の断面図である。
【考案を実施するための形態】
【００１２】
以下、図面を参照して、本考案による浄水器用フィルターの芯材を説明する。なお、図１〜３、図５、図７〜９、図１１では、外側芯材または内側芯材が水平に伸びる方向を長手方向とし、これに垂直な方向を上下方向とした。
【実施例】
【００１３】
図１は、本考案による浄水器用フィルターの芯材１００を構成する半円筒状の外側芯材の正面図である。図１に示すように、半円筒状の外側芯材１には、内周面と外周面を貫通する複数の貫通孔２、３が設けられる。貫通孔２、３は、長手方向に一列に並んで複数列が設けられる。半円筒状の外側芯材１は、下部の結合面に複数の係合突起４が設けられる。
【００１４】
図２は、図１に示す半円筒状の外側芯材の平面図である。半円筒状の外側芯材１の貫通孔２、３は、長手方向に６列で、全部で１９２個が設けられる。貫通孔２、３は、矩形状で、上から下に向かって開けられている。そのため、貫通孔３の箇所は、貫通孔３の斜面が見える。
【００１５】
図３は、図１に示す半円筒状の外側芯材の底面図である。半円筒状の外側芯材１の内周面には長手方向に延びる縦リブ６と、円周に沿って横リブ７が設けられる。縦リブ６と横リブ７は、いずれも内側に突出している。２つの半円筒状の外側芯材１を結合して円筒状にするため、結合面には複数の係合突起４と複数の係合孔５が設けられる。一方の半円筒状の外側芯材１の係合突起４は、他方の半円筒状の外側芯材１の係合孔５に係合し、他方の半円筒状の外側芯材１の係合突起４は、一方の半円筒状の外側芯材１の係合孔５に係合する。
【００１６】
図４は、図１のＡ−Ａ断面図である。貫通孔２、３が、上下方向と平行に設けられるので、金型で貫通孔２、３を形成する際、挟み込んだ２つの金型を一方向に抜き去ることができる。縦リブ６と横リブ７は、半円筒状の外側芯材１の強度をより高くでき、水圧で凹んだり、破損したりしないようにできる。
【００１７】
図５は、図１の半円筒状の外側芯材２つを結合して構成した円筒状の外側芯材の正面図である。円筒状の外側芯材８は、２つの同じ半円筒状の外側芯材１を向かい合わせにして、結合面を係合突起４と係合孔５で結合したものである。
【００１８】
図６は、図５のＡ’−Ａ’断面図である。円筒状の外側芯材８は、２つの同じ半円筒状の外側芯材１を向かい合わせにして結合したものである。２つの半円筒状の外側芯材１の貫通孔２、３は、共に上下方向を向いて配置されるものとなる。
【００１９】
図７は、本考案による浄水器用フィルターの芯材を構成する半円筒状の内側芯材の正面図である。図７に示すように、半円筒状の内側芯材１０は、内周面と外周面を貫通する複数の貫通孔１１が設けられる。貫通孔１１は、長手方向に一列である。半円筒状の内側芯材１０は、下部の結合面に複数の係合突起４が設けられる。
【００２０】
図８は、図７に示す半円筒状の内側芯材の平面図である。半円筒状の内側芯材１０の貫通孔１１は、長手方向に一列で、全部で１４個が設けられる。貫通孔１１は、矩形状である。半円筒状の内側芯材１０の外側には凸部１５、１６が設けられ、貫通孔１１は凹部に設けられる。
【００２１】
図９は、図７に示す半円筒状の内側芯材の底面図である。半円筒状の内側芯材１０の内周面には、円周に沿って横リブ１７が設けられる。横リブ１７は内側に突出している。２つの半円筒状の内側芯材１０を結合して円筒状にするため、結合面には複数の係合突起１２と複数の係合孔１３が設けられる。一方の半円筒状の内側芯材１０の係合突起１２は、他方の半円筒状の内側芯材１０の係合孔１３に係合し、他方の半円筒状の内側芯材１０の係合突起１２は、一方の半円筒状の内側芯材１０の係合孔１３に係合する。
【００２２】
図１０は、図７のＢ−Ｂ断面図である。半円筒状の内側芯材１０の貫通孔１１は、上下方向と平行に設けられるので、金型で貫通孔１１を形成する際、挟み込んだ２つの金型を一方向に抜き去ることができる。横リブ１７は、半円筒状の内側芯材１０の強度をより高くでき、半円筒状の外側芯材１を内側で支える。また、半円筒状の内側芯材１０が、水圧で凹んだり、破損したりしないようにできる。
【００２３】
図１１は、図７の半円筒状の内側芯材２つを結合して構成した円筒状の内側芯材の正面図である。円筒状の内側芯材１８は、２つの同じ半円筒状の内側芯材１０を向かい合わせにして、結合面を係合突起１２と係合孔１３で結合したものである。
【００２４】
図１２は、図１１のＢ’−Ｂ’断面図である。円筒状の内側芯材１８は、２つの同じ半円筒状の内側芯材１０を向かい合わせにして結合したものである。２つの半円筒状の内側芯材１０の貫通孔１１は、共に上下方向を向いて対極の位置に配置されるものとなる。そのため、貫通孔１１、１１を出た水はトルネード水流となって、出口に向けて移動してゆく。
【００２５】
図１３は、図５の円筒状の外側芯材の中に、図１１の円筒状の内側芯材を挿入して浄水器用フィルターの芯材１００を構成した場合のＡ’−Ａ’断面図である。円筒状の外側芯材８と円筒状の内側芯材１８の間には不織布１９が装着される。これは、円筒状の内側芯材１８の外側に不織布１９を巻き付け、その外側から２つの半円筒状の外側芯材１で挟み込むことによる。その後に、円筒状の外側芯材８には、厚みをもって不織布や活性炭などが巻き付けられる。
【００２６】
図１４は、本考案による浄水器用フィルターの芯材１００を適用した浄水器の断面図である。流入水は、入口２２から浄水器２０の本体２１に入る。流入水は不織布１９、活性炭層２４、不織布１９を通過して、円筒状の外側芯材８の貫通孔２、３に入る。さらに、不織布１９を通過して、円筒状の内側芯材１８の貫通孔１１を抜け、トルネード水流となって出口２３に向かい、流出水となって吐出される。
【産業上の利用可能性】
【００２７】
本考案による浄水器用フィルターの芯材は、水圧が高くても凹んだり破損することがなく、トルネード水流を起こすことができる芯材として好適である。
【符号の説明】
【００２８】
１    半円筒状の外側芯材
２、３    貫通孔
４    係合突起
５    係合孔
６    縦リブ
７    横リブ
８    円筒状の外側芯材
１０    半円筒状の内側芯材
１１    貫通孔
１２    係合突起
１３    係合孔
１５、１６    凸部
１７    横リブ
１８    円筒状の内側芯材
１９    不織布
２０    浄水器
２１    本体
２２    入口
２３    出口
２４    活性炭層
１００    浄水器用フィルターの芯材
【図１】
0003192832.tif 000003
【図２】
0003192832.tif 000004
【図３】
0003192832.tif 000005
【図４】
0003192832.tif 000006
【図５】
0003192832.tif 000007
【図６】
0003192832.tif 000008
【図７】
0003192832.tif 000009
【図８】
0003192832.tif 000010
【図９】
0003192832.tif 000011
【図１０】
0003192832.tif 000012
【図１１】
0003192832.tif 000013
【図１２】
0003192832.tif 000014
【図１３】
0003192832.tif 000015
【図１４】
0003192832.tif 000016